(57)【要約】      （修正有）【課題】複製元と複製先の携帯電話装置の両方で有料コンテンツデータの利用を禁止することができるコンテンツ配信システム等を提供する。【解決手段】サーバ装置は、コンテンツデータを情報端末装置のＩＭＥＩ番号と対応付け、且つ当該ＩＭＥＩ番号と前記コンテンツデータを利用する権利を示す利用情報とを対応付けて記憶する記憶手段を備え、前記情報端末装置は、当該情報端末装置に割り当てられた固有のＩＭＥＩ番号を前記サーバ装置に送信するＩＭＥＩ送信手段と、前記サーバ装置の利用情報送信手段から前記利用情報を受信する利用情報受信手段と、前記利用受信手段により受信した利用情報に対応付けられているＩＭＥＩ番号と、当該情報端末装置に固有に割り当てらたＩＭＥＩ番号とが合致するか否かを判定する判定手段と、を備え、前記ＩＭＥＩ番号が合致すると判定された場合に、前記情報端末装置は前記コンテンツデータの利用が許可される構成である。【選択図】図３
2010128745.tif 000002
【特許請求の範囲】
【請求項１】
情報端末装置と、当該情報端末装置に対してコンテンツデータを配信するサーバ装置とを備えるコンテンツ配信システムにおいて、
前記サーバ装置は、
前記コンテンツデータを前記情報端末装置のＩＭＥＩ（International Mobile Equipment Identity）番号と対応付け、且つ当該ＩＭＥＩ番号と前記コンテンツデータを利用する権利を示す利用情報とを対応付けて記憶する記憶手段と、
前記情報端末装置のＩＭＥＩ送信手段からＩＭＥＩ番号を受信するＩＭＥＩ受信手段と、
前記ＩＭＥＩ番号に対応付けられた前記利用情報を前記情報端末装置に送信する利用情報送信手段と、を備え、
前記情報端末装置は、
当該情報端末装置に割り当てられた固有のＩＭＥＩ番号を前記サーバ装置に送信するＩＭＥＩ送信手段と、
前記サーバ装置の利用情報送信手段から前記利用情報を受信する利用情報受信手段と、
前記利用受信手段により受信した利用情報に対応付けられているＩＭＥＩ番号と、当該情報端末装置に割り当てられた固有のＩＭＥＩ番号とが合致するか否かを判定する判定手段と、を備え、
前記判定手段により前記ＩＭＥＩ番号が合致すると判定された場合に、前記情報端末装置は前記コンテンツデータの利用が許可されることを特徴とするコンテンツ配信システム。
【請求項２】
請求項１に記載のコンテンツ配信システムにおいて、
前記前記判定手段により前記ＩＭＥＩ番号が合致すると判定された場合に、前記情報端末装置は当該ＩＭＥＩ番号と対応付けされたコンテンツデータを外部記録媒体に移行し、
前記情報端末装置は、
前記情報端末装置に割り当てられた固有のＩＭＥＩ番号を消去するとともに、前記サーバ装置の記憶手段に記憶されているＩＭＥＩ番号を消去すること要求する要求手段を更に備え、
前記サーバ装置は、
前記情報端末装置の要求手段による消去の要求を受信する消去要求受信手段と、
前記要求により前記記憶手段に記憶されているＩＭＥＩ番号を消去するＩＭＥＩ消去手段と、を更に備えることを特徴とするコンテンツ配信システム。
【請求項３】
情報端末装置と、当該情報端末装置に対してコンテンツデータを配信するサーバ装置とを備えるコンテンツ配信システムにおけるサーバ装置であって、
前記コンテンツデータを前記情報端末装置のＩＭＥＩ番号と対応付け、且つ当該ＩＭＥＩ番号と前記コンテンツデータを利用する権利を示す利用情報とを対応付けて記憶する記憶手段と、
前記情報端末装置からＩＭＥＩ番号を受信するＩＭＥＩ受信手段と、
前記ＩＭＥＩ番号に対応付けられた前記利用情報を前記情報端末装置に送信する利用情報送信手段と、
を備えることを特徴とするサーバ装置。
【請求項４】
請求項３に記載のサーバ装置であって、
前記情報端末装置によるＩＭＥＩ番号の消去の要求を受信する消去要求受信手段と、
前記要求により前記記憶手段に記憶されているＩＭＥＩ番号を消去するＩＭＥＩ消去手段と、
を備えることを特徴とするサーバ装置。
【請求項５】
情報端末装置と、当該情報端末装置に対してコンテンツデータを配信するサーバ装置とを備えるコンテンツ配信システムにおける情報端末装置であって、
当該情報端末装置に割り当てられた固有のＩＭＥＩ番号を前記サーバ装置に送信するＩＭＥＩ送信手段と、
前記サーバ装置から前記コンテンツデータを利用する権利を示す利用情報を受信する利用情報受信手段と、
前記利用受信手段により受信した利用情報に対応付けられているＩＭＥＩ番号と、当該情報端末装置に固有に割り当てらたＩＭＥＩ番号とが合致するか否かを判定する判定手段と、を備え、
前記判定手段により前記ＩＭＥＩ番号が合致すると判定された場合に、前記情報端末装置は前記コンテンツデータの利用が許可されることを特徴とする情報端末装置。
【請求項６】
請求項５に記載の情報端末装置であって、
前記前記判定手段により前記ＩＭＥＩ番号が合致すると判定された場合に、前記情報端末装置は当該ＩＭＥＩ番号と対応付けされたコンテンツデータを外部記録媒体に移行し、
前記情報端末装置に割り当てられた固有のＩＭＥＩ番号を消去するとともに、前記サーバ装置に記憶されているＩＭＥＩ番号を消去すること要求する要求手段を更に備えることを特徴とする情報端末装置。
【請求項７】
情報端末装置と、当該情報端末装置に対してコンテンツデータを配信するサーバ装置とを備えるコンテンツ配信システムにおけるコンテンツ配信方法において、
前記サーバ装置は、
前記コンテンツデータを前記情報端末装置のＩＭＥＩ番号と対応付け、且つ当該ＩＭＥＩ番号と前記コンテンツデータを利用する権利を示す利用情報とを対応付けて記憶する記憶工程と、
前記情報端末装置のＩＭＥＩ送信工程からＩＭＥＩ番号を受信するＩＭＥＩ受信工程と、
前記ＩＭＥＩ番号に対応付けられた前記利用情報を前記情報端末装置に送信する利用情報送信工程と、を有し、
前記情報端末装置は、
当該情報端末装置に割り当てられた固有のＩＭＥＩ番号を前記サーバ装置に送信するＩＭＥＩ送信工程と、
前記サーバ装置の利用情報送信工程から前記利用情報を受信する利用情報受信工程と、
前記利用受信工程において受信した利用情報に対応付けられているＩＭＥＩ番号と、当該情報端末装置に固有に割り当てらたＩＭＥＩ番号とが合致するか否かを判定する判定工程と、を有し、
前記判定工程において前記ＩＭＥＩ番号が合致すると判定された場合に、前記情報端末装置は前記コンテンツデータの利用が許可されることを特徴とするコンテンツ配信方法。
【請求項８】
請求項３に記載のコンテンツ配信システムに備えられるサーバ装置として機能させることを特徴とするサーバプログラム。
【請求項９】
請求項５に記載のコンテンツ配信システムに備えられる情報端末装置として機能させることを特徴とする情報端末装置用プログラム。
【請求項１０】
請求項８に記載のサーバプログラムがコンピュータに読み取り可能に記録されていることを特徴とする記録媒体。
【請求項１１】
請求項９に記載の情報端末装置用プログラムがコンピュータに読み取り可能に記録されていることを特徴とする記録媒体。
【発明の詳細な説明】
【技術分野】
【０００１】
本発明は、コンテンツ配信システム等に関する。
【背景技術】
【０００２】
携帯電話装置等の情報端末装置で利用する有料コンテンツデータに関しては、複数の携帯電話装置での同時使用ができないようにするため、ＳＤカード等のリムーバブルデバイスへの複製が禁止されていることが多い。そのため、買い換えや故障等により携帯電話装置が変更された場合、新しい携帯電話装置に再度有料コンテンツデータをダウンロードする必要があった。例えば特許文献１には、情報通信端末にデータをダウンロードした場合に、そのダウンロードデータを他の情報通信端末で利用することを禁止する技術が開示されている。また、特許文献２には、携帯端末を変更した場合に、それまで使用していたディジタルコンテンツやその権利情報、状態情報を継続して利用することを可能にする技術が開示されている。また、特許文献３には、新たなコンテンツの普及を図ると共に、コンテンツ作成者の初期負担を軽減しながら、確実な対価を期待できるコンテンツ配信システムが開示されている。
【特許文献１】特開２００２−４１３９９号公報
【特許文献２】特開２００６−３１８１３４号公報
【特許文献３】特開２００７−４２０４６号公報
【発明の開示】
【発明が解決しようとする課題】
【０００３】
しかしながら、上記の技術では、携帯電話装置のコンテンツデータのサイズが大きくなっていく中、ダウンロードに要する時間が増加し、結果として初期セットアップに要する時間も増加するという問題があった。また、料金プランによってはダウンロード行為そのものに費用を要するという問題があった。
【０００４】
そこで、本発明は、上記の問題を鑑みてなされたものであり、その課題の一例は、上記問題点を解決するコンテンツ配信システム等を提供することである。
【課題を解決するための手段】
【０００５】
上記課題を解決するため、本発明のコンテンツ配信システムは、情報端末装置と、当該情報端末装置に対してコンテンツデータを配信するサーバ装置とを備えるコンテンツ配信システムにおいて、前記サーバ装置は、前記コンテンツデータを前記情報端末装置のＩＭＥＩ番号と対応付け、且つ当該ＩＭＥＩ番号と前記コンテンツデータを利用する権利を示す利用情報とを対応付けて記憶する記憶手段と、前記情報端末装置のＩＭＥＩ送信手段からＩＭＥＩ番号を受信するＩＭＥＩ受信手段と、前記ＩＭＥＩ番号に対応付けられた前記利用情報を前記情報端末装置に送信する利用情報送信手段と、を備え、前記情報端末装置は、当該情報端末装置に割り当てられた固有のＩＭＥＩ番号を前記サーバ装置に送信するＩＭＥＩ送信手段と、前記サーバ装置の利用情報送信手段から前記利用情報を受信する利用情報受信手段と、前記利用受信手段により受信した利用情報に対応付けられているＩＭＥＩ番号と、当該情報端末装置に固有に割り当てらたＩＭＥＩ番号とが合致するか否かを判定する判定手段と、を備え、前記判定手段により前記ＩＭＥＩ番号が合致すると判定された場合に、前記情報端末装置は前記コンテンツデータの利用が許可されることを特徴とする。
【０００６】
上記課題を解決するため、本発明のサーバ装置は、情報端末装置と、当該情報端末装置に対してコンテンツデータを配信するサーバ装置とを備えるコンテンツ配信システムにおけるサーバ装置であって、前記コンテンツデータを前記情報端末装置のＩＭＥＩ番号と対応付け、且つ当該ＩＭＥＩ番号と前記コンテンツデータを利用する権利を示す利用情報とを対応付けて記憶する記憶手段と、前記情報端末装置からＩＭＥＩ番号を受信するＩＭＥＩ受信手段と、前記ＩＭＥＩ番号に対応付けられた前記利用情報を前記情報端末装置に送信する利用情報送信手段と、を備えることを特徴とする。
【０００７】
上記課題を解決するため、本発明の情報端末装置は、情報端末装置と、当該情報端末装置に対してコンテンツデータを配信するサーバ装置とを備えるコンテンツ配信システムにおける情報端末装置であって、当該情報端末装置に割り当てられた固有のＩＭＥＩ番号を前記サーバ装置に送信するＩＭＥＩ送信手段と、前記サーバ装置から前記コンテンツデータを利用する権利を示す利用情報を受信する利用情報受信手段と、前記利用受信手段により受信した利用情報に対応付けられているＩＭＥＩ番号と、当該情報端末装置に固有に割り当てらたＩＭＥＩ番号とが合致するか否かを判定する判定手段と、を備え、前記判定手段により前記ＩＭＥＩ番号が合致すると判定された場合に、前記情報端末装置は前記コンテンツデータの利用が許可されることを特徴とする。
【発明の効果】
【０００８】
本発明によれば、有料コンテンツデータと利用情報の両者を複製した場合、利用情報のＩＭＥＩ番号と複製先の携帯電話装置のＩＭＥＩ番号とが一致しないので、複製元と複製先の携帯電話装置の両方で有料コンテンツデータの利用を禁止することができる。
【０００９】
また、本発明によれば、複製元の携帯電話装置の利用情報を消去せずに、複製先の携帯電話装置で利用情報の取得を要求した場合は、コンテンツプロバイダで管理している管理表に複製元の携帯電話装置のＩＭＥＩ番号が残っているので、新たに利用情報を発行することができない。従って、複製元と複製先の携帯電話装置の両方で有料コンテンツデータの利用を禁止することができる。
【００１０】
また、本発明によれば、有料コンテンツデータに関しては、ＳＤカードを利用して移動させるため、新たにダウンロードする必要はない。
【発明を実施するための最良の形態】
【００１１】
以下、本発明の実施形態に係るコンテンツ配信システムに関して、添付図面を参照して説明する。
【００１２】
なお、以下に説明する実施形態は、本願に係るコンテンツ配信システムを適用した場合の実施形態である。
【００１３】
まず、本発明の実施形態に係るコンテンツ配信システムの構成及び機能について、図１及び２を参照して説明する。
【００１４】
図１は、本発明の実施形態に係るコンテンツ配信システムの携帯電話装置１の概要構成の一例を示す図であり、図２は、コンテンツプロバイダ２が保有する加入者番号に対応付けされた管理表の一例を示す図である。
【００１５】
図１に示すように、有料コンテンツデータ１０８を使用する携帯電話装置１（情報端末装置の一例）は、通信を行う通信部１０１（ＩＭＥＩ送信手段、利用情報受信手段の一例）と、記憶部１０２と、当該携帯電話装置１に個別に付与されるＩＭＥＩ（International Mobile Equipment Identity）番号１０３（ＩＭＥＩ番号の一例）と、ＳＤカード１０６（外部記録媒体の一例）等のリムーバブルデバイスを接続する外部記憶Ｉ／Ｆ（interface）１０４と、加入者番号が記録されたＳＩＭ（Subscriber Identity Module）カード１０７を接続するＳＩＭＩ／Ｆ１０５と、制御部１００（判定手段の一例）と、を備え、各部はシステムバスにより接続されている。
【００１６】
記憶部１０２には、コンテンツプロバイダ２（サーバ装置の一例）からダウンロードにより入手する有料コンテンツデータ１０８と、当該有料コンテンツデータ１０８を利用する利用情報１０９とが記録される。
【００１７】
当該携帯電話装置１の制御部１００は、ＣＰＵ（Central Processing Unit）、ＲＯＭ（Read Only Memory）、ＲＡＭ（Random Access Memory）等から構成され、当該携帯電話装置１における構成要素全体を統括制御するようになっている。そして、当該制御部１００のＣＰＵが、例えばＲＯＭに記憶されたプログラム（本願の情報端末装置用プログラムを含む）を読み出し実行することにより、本願の判定手段等として機能するようになっている。
【００１８】
また、有料コンテンツデータ１０８を提供するコンテンツプロバイダ２は、図２に示すような加入者番号に紐付け（対応付け）された管理表を有しているものとする。当該管理表には、有料コンテンツデータを識別するコンテンツ番号２０１と、有料コンテンツデータを使用することを許可したＩＭＥＩ番号２０２とが記録されているものとする。
【００１９】
次に、本発明の実施形態に係るコンテンツ配信システムの動作について、図３を参照して説明する。
【００２０】
図３は、本発明の実施形態に係るコンテンツ配信システムの動作の一例を示す図である。
【００２１】
図３において、有料コンテンツデータ１０８の利用契約を行う加入者の携帯電話装置１は、利用契約後、先ず、コンテンツプロバイダ２から有料コンテンツデータ１０８をダウンロードし、記憶部１０２に記録する。
【００２２】
次に、利用者の携帯電話装置１は、コンテンツプロバイダ２に対してＩＭＥＩ番号１０３を送付する。
【００２３】
ＩＭＥＩ番号１０３を受信したコンテンツプロバイダ２は、図２に示される管理表のＩＭＥＩ番号２０２欄にＩＭＥＩ番号１０３を記録し、有料コンテンツデータ１０８の利用に必要な情報である利用情報１０９を加入者の携帯電話装置１に送付する。
【００２４】
利用情報１０９を受信した加入者の携帯電話装置１は、利用情報１０９を記憶部１０２に記録する。
【００２５】
そして、当該携帯電話装置１の制御部１００は、有料コンテンツデータ１０８の利用の都度、当該有料コンテンツデータ１０８の有無と紐付け（対応付け）されたＩＭＥＩ番号２０２と、携帯電話装置１本体に記録されたＩＭＥＩ番号１０３とが合致するか否かを判定する。当該携帯電話装置１の制御部１００は、利用情報が存在し、且つ、各ＩＭＥＩ番号が一致した場合にのみ、有料コンテンツデータ１０８の利用をすることができる。
【００２６】
次に、有料コンテンツデータ１０８を移行する場合の手順について説明する。
【００２７】
利用者は、有料コンテンツデータ１０８を外部記憶Ｉ／Ｆ１０４に接続されたＳＤカード１０６に移動する。なお、この移動に関しては、複製であっても構わない。
【００２８】
次に、当該携帯電話装置１本体に記録されているＩＭＥＩ番号１０３の消去を行い、当該ＩＭＥＩ番号１０３の消去が完了した後、コンテンツプロバイダ２側で記録されている管理表上のＩＭＥＩ番号２０２の消去要求をコンテンツプロバイダ２に送付する。
【００２９】
消去要求を受信したコンテンツプロバイダ２は、管理表内のＩＭＥＩ番号２０２を消去する。
【００３０】
この消去作業により、携帯電話装置１の記憶部１０２に記録された利用情報１０９と管理表内のＩＭＥＩ情報２０２の両方が消去されることになる。
【００３１】
この携帯電話装置１では、利用情報１０９が消去されたので、以降、この有料コンテンツデータ１０８を利用することはできなくなる。
【００３２】
次に、有料コンテンツデータ１０８を記録したＳＤカード１０６を新しい携帯電話装置の外部記録Ｉ／Ｆに接続し、その携帯電話装置の記憶部に複製し、新しいＩＭＥＩ番号により新たに利用者情報を取得し、その記憶部に登録することによって、新しい携帯電話装置での有料コンテンツデータの利用が可能となる。
【００３３】
以上説明したように本実施形態によれば、有料コンテンツデータ１０８と利用者情報の両方を複製した場合、利用者情報のＩＭＥＩ番号２０２と複製先の携帯電話装置のＩＭＥＩ番号とが一致しないので、複製元の携帯電話装置と複製先の携帯電話装置の両方で有料コンテンツデータ１０８の利用を禁止することができる。
【００３４】
また、本実施形態によれば、複製元の携帯電話装置の利用情報１０９を消去せずに、複製先の携帯電話装置で利用者情報の取得を要求した場合は、コンテンツプロバイダ２で管理している管理表に複製元の携帯電話装置１のＩＭＥＩ番号１０３が残っているので、新たに利用者情報を発行することができない。このようにして、複製元の携帯電話装置と複製先の携帯電話装置の両方で有料コンテンツデータ１０８の利用を禁止することができる。
【００３５】
また、本実施形態によれば、有料コンテンツデータ１０８に関しては、ＳＤカード１０６を用いて移動させるため、新たにダウンロードする必要はない。
【００３６】
なお、本発明は以上説明したように構成されるが、上記実施の形態に限定されるものではなく、本発明の要旨の範囲内において種々変更可能である。具体的には、本発明では、他の携帯電話装置に有料コンテンツデータ１０８を移動させる方法について説明したが、ＳＤカード１０６に移動させた有料コンテンツデータをＰＣのハードディスクに複製し保存し、また、同じ携帯電話装置に戻す手順に変更することにより、有料コンテンツデータ１０８のバックアップ／リストアを行うことができ、携帯電話装置内部の限られた記憶部を有効活用することができる。
【図面の簡単な説明】
【００３７】
【図１】本発明の実施形態に係るコンテンツ配信システムの概要構成の一例を示す図である。
【図２】コンテンツプロバイダ２が保有する加入者番号に対応付けされた管理表の一例を示す図である。
【図３】本発明の実施形態に係るコンテンツ配信システムの動作の一例を示す図である。
【符号の説明】
【００３８】
１００  制御部
１０１  通信部
１０２  記憶部
１０３  ＩＭＥＩ番号
１０４  外部記憶Ｉ／Ｆ（interface）
１０５  ＳＩＭＩ／Ｆ
１０６  ＳＤカード
１０７  ＳＩＭ（Subscriber Identity Module）カード
【図１】
2010128745.tif 000003
【図２】
2010128745.tif 000004
【図３】
2010128745.tif 000005